(57)【特許請求の範囲】
【請求項１】
頭部（１、３３）は曲折した薄形であって、略水平に広がる平部（２）と、この平部（２）の前部に設けられて略下方向に向かう掛部（３、１２、３６）とから形成され、且つ、その頭部（１、３３）は前記平部（２）と前記掛部（３、１２、３６）とに域が及ぶ硬質材からなる硬質層（４、２０、２１）と、前記頭部（１、３３）全域のうちの少なくとも平部（２）の一部に広がる弾性材からなる弾性層（５）とが重なって固定されてなり、その弾性層（５）の弾性層下面（７）の平部（２）部分に、そこから下方向に伸び略棒状に形成されて弾性材からなる脚部（６、３１、３２）が前記弾性層（５）と一体化して設けられ、前記頭部（１、３３）の後部は、前記脚部（６、３１、３２）よりも後方に突出し、その頭部（１、３３）の左右の巾は、前記脚部（６、３１、３２）の径よりも大きくされてなる指板に挿穴を設けた弦楽器用の弦押さえ具。
【請求項２】
少なくとも１個の固定用部（８）が断面横Ｕ字状に形成され、この固定用部（８）が頭部（１、３３）を上下から挟むように取り付けられて、硬質層（４、２０、２１）と弾性層（５）とを固定してなる請求項１記載の指板に挿穴を設けた弦楽器用の弦押さえ具。
【請求項３】
固定用部（９）が、上下回りの周回状に形成されてなる請求項２記載の指板に挿穴を設けた弦楽器用の弦押さえ具。
【請求項４】
固定用部（１０）が弾件層（５）と一体化されてなる請求項２又は３記載の指板に挿穴を設けた弦楽器用の弦押さえ具。
【請求項５】
固定用部（１１）が硬質層（４、２０、２１）と一体化されてなる請求項２又は３記載の指板に挿穴を設けた弦楽器用の弦押さえ具。
【請求項６】
頭部（１）が、硬質層（４）を上側に弾性層（５）を下側にしてなる請求項１、２、３、４又は５記載の指板に挿穴を設けた弦楽器用の弦押さえ具。
【請求項７】
頭部（３３）が、弾性層（５）を上側に硬質層（４、２０、２１）を下側にしてなる請求項１、２、３、４又は５記載の指板に挿穴を設けた弦楽器用の弦押さえ具。
【請求項８】
硬質層（２０）に、その硬質層（２０）の後方から凹む凹部（２２）が設けられ、その凹部（２２）内に脚部（６、３１、３２）が通されてなる請求項７記載の指板に挿穴を設けた弦楽器用の弦押さえ具。
【請求項９】
硬質層（２１）の平部（２）部分に上下に貫通する通孔（２４）が設けられ、この通孔（２４）に上から下へ、脚部（６、３１、３２）が通されて頭部（３３）が弾性層（５）を上側に前記硬質層（２１）を下側にしてなる請求項１、２、３記載の指板に挿穴を設けた弦楽器用の弦押さえ具。
【請求項１０】
硬質層（２１）の平部（２）部分に上下に貫通する通孔（２４）が設けられ、この通孔（２４）に上から下へ、脚部（６、３１、３２）が通されて頭部（３３）が弾性層（５）を上側に前記硬質層（２１）を下側にしてなり、固定用部（１１）が前記硬質層（２１）と一体化されてなる請求項２記載の指板に挿穴を設けた弦楽器用の弦押さえ具。
【請求項１１】
頭部下面（１４）の少なくとも、脚部（６、３１、３２）より前方である頭部下面前方域（２５）に、薄形の軟質材（１５）が取り付けられてなる請求項１、２、３、４、５、６、７、８、９又は１０記載の指板に挿穴を設けた弦楽器用の弦押さえ具。
【請求項１２】
掛部（３）が前方斜め下方向に向かって形成されてなる請求項１、２、３、４、５、６、７、８、９、１０又は１１記載の指板に挿穴を設けた弦楽器用の弦押さえ具。
【請求項１３】
掛部（１２）が先端に向けて舌状形に先細りして形成されてなる請求項１、２、３、４、５、６、７、８、９、１０、１１又は１２記載の指板に挿穴を設けた弦楽器用の弦押さえ具。
【請求項１４】
脚部（６）が直線状の棒状に形成されてなる請求項１、２、３、４、５、６、７、８、９、１０、１１、１２又は１３記載の指板に挿穴を設けた弦楽器用の弦押さえ具。
【請求項１５】
脚部（３１）が曲折した棒状に形成されてなる請求項１、２、３、４、５、６、７、８、９、１０、１１、１２又は１３記載の指板に挿穴を設けた弦楽器用の弦押さえ具。
【請求項１６】
脚部（３２）の少なくとも下部が、分脚間（２７）に若干の隙間を設けた２本の分脚（２８）から形成され、その２本の分脚（２８）の少なくとも一方の外側に、外方に突出してなる凸部（３４）が形成されてなる請求項１、２、３、４、５、６、７、８、９、１０、１１、１２又は１３記載の指板に挿穴を設けた弦楽器用の弦押さえ具。
【発明の詳細な説明】
【０００１】
【発明の属する技術分野】
本発明は、指板に挿穴を設けた弦楽器の挿穴に装着して、弦を指板に押さえ付けるために用いる弦押さえ具に関する。
【０００２】
【従来の技術】
従来、この種の弦押さえ具としては、弦楽器の弦の音程可変装置（以下、装置）なるものがあり、この装置は、弦楽器のゼロフレットよりヘッド部上に向けて延長指板を設け、この延長指板にヘッド部裏面に抜ける貫通孔を設け、この貫通孔に、頭部に弦を引っ掛けてゼロフレットに押さえ付けるための係止部材を取り付けてなる軸体を、コイルスプリングで常時引き込む構成となっている。また、前記係止部材にプーリを取り付けたものもある（例えば、実開平５−１７６９０号公報参照）。
【０００３】
また、弦楽器セットなるものの構成の一部である弦押さえ具があり、この弦押さえ具は全体が弾性材からなり略棒状で、上下方向に伸びる脚部に略く字状の挿入部を有し、その脚部の上端から弦を指板に押さえ付けるための弦掛止部が水平方向に伸びてなるものであり、前記挿入部を、ゼロフレットより胴体側の指板に挿穴を設けた弦楽器の挿穴に、人の手により挿し込み、その略く字状の挿入部の弾性により前記挿穴に保持される構成となっている（例えば、特開２００１−１０９４６３号公報参照）。
【０００４】
【発明が解決しようとする課題】
従来の技術で述べたもののうち前者の装置において、その目的はゼロフレットに、コイルスプリングの形状回復力を利用して、係止部材により弦を押さえ付けたり放したりして弦の音程を簡単な操作で変えられるようにすることにあり、それが可能な構成となっており奏者にとって便利である。
【０００５】
しかし、この装置全体をみると、係止部材、軸体の他に、延長指板、延長指板からヘッド部裏面に抜ける貫通孔、コイルスプリングから成り立っており、以前の弦楽器に比べ構成が複雑で製造が大変である。しかも貫通孔は、軸体の他に係止部材をも引き込む構成であるので、その孔径が軸体の径より大きくなり弦楽器の強度を弱めてしまい、特に、この貫通孔を複数個設けるとなるとさらに弱くなる。
【０００６】
また、係止部材にプーリを取り付けることにより、そのプーリの外周の溝が、弦を横にずらして音程を上げる奏法であるチョーキングをしても弦を外れにくくするが、貫通孔をさらに大きくして弦楽器の強度が弱くなる。
【０００７】
また、軸体と係止部材とプーリの構成に限ってみると、軸体を延長指板の貫通孔に人の手により挿し込んで係止部材やプーリにより弦をゼロフレットに押さえ付けることが可能であるが、軸体を貫通孔に保持し、且つ、抜き挿しを容易にするためには、軸体に弾性材を用いる等の工夫が必要である。そして、後者で述べた、ゼロフレットより胴体側の指板に、挿穴を設けた弦楽器にも利用できるが、その際、挿穴の径が大きいと弦楽器の強度を弱める問題があるので、挿穴の径を小さく形成し、その挿穴に軸体のみを挿入して弦を指板に押さえ付けると、係止部材やプーリが指板上に大きく突出して演奏の際、運指の邪魔になる。
【０００８】
その対策として、プーリを用いず係止部材を薄く形成すると、運指の邪魔にならないが、係止部材は弦をゼロフレットに圧接可能にすること以外に工夫がされていないので、チョーキングをしたときに弦が外れてしまう。
【０００９】
後者の弦押さえ具において、その目的はゼロフレットより胴体側の、挿穴を設けた指板に、弦掛止部により弦を押さえ付けたり放したりして弦の音程を変えられるようにすることにあり、それが可能である。そして、前者で述べた、ゼロフレットよりヘッド部上に向けて延長指板を設けて、この延長指板にヘッド部裏面に抜ける貫通孔を設けた弦楽器にも利用できる。また、弦押さえ具全体が、弾性材からなり構成が極めて簡単なので製造が容易であり、演奏の際、指や弦や指板を傷めない。また、指板の挿穴の径が若干異なっても、弾性材からなる略く字状に形成された挿入部が、その弾性により挿穴に保持されるのである。また、弦掛止部は、脚部の延長で単純な棒状であるので極めて小さく形成でき、チョーキングをしない演奏には運指の邪魔にならず非常に適しており、且つ、細弦から太弦まで確実に指板に押さえ付けることができる。
【００１０】
しかし、この弦押さえ具においては、脚部が弾性を有し、指板の挿穴の径が一定であれば、その脚部は、略く字状の挿入部が形成されてなく直線状の棒状であっても、挿穴に確実に保持されるのである。
【００１１】
また、弦掛止部が、上下方向に伸びる脚部の上端から水平方向に伸びて形成されており、チョーキングをした際に、弦が弦掛止部から外れてしまうのである。
【００１２】
その対策として弦掛止部の先端部分を略下方向に向かわせて形成しても、全体が弾性材からなるのでチョーキングをすると弦が外れ易い。
【００１３】
そして、その弦掛止部を、チョーキングに耐えられるように太くすると演奏の際、運指の邪魔になる。
【００１４】
また、その弦掛止部を硬質材で細く形成すると、運指の邪魔にならずチョーキングもできるが、弦掛止部により細弦を指板に押さえ付けた際に、弦掛止部の略下方向に向かわせて形成された先端部分の先端が指板と接して、細弦を確実に押さえ付けることができず、且つ、指板を傷めてしまう。この際、弦掛止部の先端部分を短くすると太弦が外れ易い。
【００１５】
そして、その対策としては、指板の挿穴の入り口から浅い部分の径を大きく形成し、その浅い部分に弦掛止部を潜らせるようにすると、細い弦から太い弦まで指板に確実に押さえ付けることができ、且つ、指板を傷めることがないが、弦楽器の強度を弱め、且つ、弦押さえ具を挿穴から抜いたとき挿穴の入口が大きいので指板が凸凹状になって演奏に支障があり、且つ、挿穴から弦押さえ具を引き抜くのが難しくなり、且つ、挿穴の形成がめんどうになる。
【００１６】
本発明は、従来の技術や上記の技術の持つこのような問題点を鑑みてなされたものであり、その目的は、製造が容易であり、演奏の際に、運指の邪魔にならず、チョーキングをしても弦が外れることなく、細弦から太弦まで確実に指板に押さえ付けることができ、指板を傷めることなく、挿穴に対しての人の手による抜き挿しが容易であり、且つ、弦楽器の、延長指板や指板に設けられる貫通孔や挿穴を、演奏に支障がなく弦楽器の強度を弱めないように、なるべく小さく簡単な構成にすることが可能な弦押さえ具を提供することにある。
【００１７】
【課題を解決するための手段】
上記目的を達成するために、本発明における弦押さえ具は、頭部は曲折した薄形であって、略水平に広がる平部と、この平部の前部に設けられて略下方向に向かう掛部とから形成され、且つ、その頭部は前記平部と前記掛部とに域が及ぶ硬質材からなる硬質層と、前記頭部全域のうちの少なくとも平部の一部に広がる弾性材からなる弾性層とが重なって固定されてなり、その弾性層の弾性層下面の平部部分に、そこから下方向に伸び略棒状に形成されて弾性材からなる脚部が設けられ、前記頭部の後部は、前記脚部よりも後方に突出し、その頭部の左右の巾は前記脚部の径よりも大きくされてなるものである。そして、前記弾性層と前記脚部とは、その相対角度を可変にするために弾性材により一体化されている。なお、前記平部は、水平に対して若干傾いて形成されてもよく、平部の上面は中央が上方に膨らむ曲面状に形成されてもよい。また、前記硬質層と前記弾性層とは接着剤により接着して固定することが可能であるが、より強く固定するために、後述する構成にして接着剤を併用することが好ましい。
【００１８】
上記、硬質層と弾性層とをより強く固定するために、少なくとも１個の固定用部が断面横Ｕ字状に形成され、この固定用部が頭部を上下から挟むように取り付けられて、硬質層と弾性層とを固定してなるものでもよい。
【００１９】
また、上記固定用部は上下回りの周回状に形成されてもよい。
【００２０】
また、断面横Ｕ字状、又は上下回りの周回状に形成された固定用部が、弾性層、又は硬質層と一体化されてもよい。
【００２１】
また、頭部は、硬質層を上側に弾性層を下側にしてなるものでもよい。
【００２２】
また、頭部は、弾性層を上側に硬質層を下側にしてなるものでもよい。その際、硬質層は、脚部が邪魔になって広い面積を得られず弾性層との接着面が狭くなるので、それを広くするために、前記硬質層に、その硬質層の後方から凹む凹部が設けられ、その凹部内に脚部が通されてなるのが好ましい。なお、前記凹部が設けられた硬質層は線状材を折り曲げて形成されてもよい。
【００２３】
また、同じく頭部が、弾性層を上側に硬質層を下側にしてなる際に、硬質層の平部部分に上下に貫通する通孔が設けられ、この通孔に上から下へ脚部が通されてなるものでもよい。この際、断面横Ｕ字状に形成された固定用部が前記通孔を設けた硬質層と一体化して形成されてもよい。なお、前記通孔が設けられた硬質層は、線状材により平回りの周回状に形成されてもよい。
【００２４】
また、頭部下面の少なくとも、脚部より前方である頭部下面前方域に、薄形の軟質材が取り付けられてなるものでもよい。
【００２５】
また、掛部は、真下方向に向かって形成されてもよいが、前方斜め下方向に向かって形成されてもよい。
【００２６】
また、掛部は、先端に向けて舌状形に先細りして形成されてもよい。
【００２７】
また、脚部は、直線状の棒状に形成されても、曲折した棒状に形成されてもよい。
【００２８】
また、脚部は、その脚部の少なくとも下部が、分脚間に若干の隙間を設けた２本の分脚から形成され、その少なくとも一方の分脚の外側に、外方に突出してなる凸部が形成されてなる棒状に形成されてもよい。
【００２９】
【発明の実施の形態】
発明の実施の形態について図面を参照して説明する。
図１〜図４において、頭部１は硬質層４を上側に弾性層５を下側にしてなっている。
【００３０】
そして、図１において、頭部１は曲折した薄形であって、水平に広がる平部２と、この平部２の前部に設けられて、前方斜め下方向に向かう掛部３とから形成されており、且つ、その頭部１は、前記平部２と前記掛部３とに域が及ぶ、例えば曲折された金属板を用いた薄い硬質材からなる硬質層４と、前記平部２全域に広がる弾性層５とが重なって固定されている。その際、それら両層は接着剤により接着して固定されてもよいが、より強く固定するために、図１に示すように、断面横Ｕ字状に形成された固定用部８が、前記頭部１を上下から挟むように取り付けられている。この固定用部８は硬質材を用い頭部１に接着剤により接着されることが好ましいが、その固定用部８を例えば前記頭部１の左右両方共に取り付ける場合はテープ状の軟質材を用いてもよい。そして、前記弾性層５の弾性層下面７に、そこから下方向に伸び直線の棒状に形成されてなる脚部６が設けられ、その脚部６と前記弾性層５とが共に、例えばナイロン又は合成樹脂を用いた弾性材により一体化されている。そして、前記頭部１の後部は、前記脚部６よりも後方に突出し、その頭部１の左右の巾は、前記脚部６の径よりも大きく形成されている。この際、脚部６は、頭部１の左右のどちらかに偏った位置に設けられてもよい。
【００３１】
図２において、弾性層５は平部２の一部に広がっている。そして、頭部１を囲むように、上下回りの周回状に形成された固定用部９、９が２個取り付けられている。この固定用部９、９は、糸状のものを巻き付けて接着したり、針金を用いてもよい。また、掛部１２は先端に向けて舌状形に先細りして形成されており、この際、掛部１２は真下方向に向かって形成されても、前方斜め下方向に向かって形成されてもよく、舌状形は左右非対称でもよい。また、脚部３１は曲折した棒状に形成されている。
【００３２】
図３において、弾性層５は頭部１全域に広がっている。そして、固定用部１０、１０は弾性層５と一体化されている。その際、固定用部１０、１０は、図３に示すように断面横Ｕ字状に形成されてもよいが、硬質層４を囲むように上下回りの周回状に形成されてもよく、周回状の場合は、その固定用部１０、１０の下部は弾性層５を兼ることとなる。そして、脚部６は、前記弾性層５の弾性層下面７の平部２部分に設けられている。
【００３３】
図４において、固定用部１１、１１は硬質層４と一体化されている。その際、固定用部１１、１１は、図４に示すように断面横Ｕ字状に形成されてもよいが、弾性層５を囲むように上下回りの周回状に形成されてもよく、周回状の場合は、その固定用部１１、１１の上部は硬質層４を兼ることとなる。
【００３４】
図５〜図８において、頭部３３は弾性層５を上側に硬質層２０、２１を下側にしてなる。
【００３５】
そして、図５において、固定用部１１、１１は硬質層２０と一体化されている。その際、固定用部１１、１１は、図５に示すように断面横Ｕ字状に形成されてもよいが、弾性層５を囲むように上下回りの周回状に形成されてもよい。また、前記硬質層２０には、その硬質層２０の後方から凹む凹部２２が設けられ、その凹部２２内を脚部６が通るようにしている。
【００３６】
図６において、固定用部１０、１０は弾性層５と一体化されている。その際、固定用部１０、１０は、図６に示すように断面横Ｕ字状に形成されてもよいが、硬質層２０を囲むように上下回りの周回状に形成されてもよい。また、凹部２２が設けられた硬質層２０は、線状材２３を折り曲げて形成されている。
【００３７】
図７と図８において、硬質層２１の平部２部分には、上下に貫通する通孔２４が設けられ、この通孔２４に上から下へ脚部６、３２が通されている。そして、図７において、平部２は、演奏の際、より運指の邪魔にならないように側面から見て中央が上方に膨らむ曲線状に形成されており、その平部２が側面から見て直線状に形成される場合は、その平部２の後方が若干下がってなることが好ましい。また、上下に貫通する取り付け孔２６を設けた例えば薄いゴム、又はフエルトを用いた軟質材１５が、その取り付け孔２６に上から下へ脚部６が通されることにより、頭部下面１４に接着されることなく、その頭部下面１４全域に及ぶように取り付けられている。この際、軟質材１５は頭部下面１４に接着剤により接着されて取り付けられてもよく、接着される場合、軟質材１５は頭部下面１４の、脚部６より前方の頭部下面前方域２５のみに取り付けられてもよく、この場合、取り付け孔２６は無くともよい。そして、図８において、断面横Ｕ字状に形成された固定用部１１が、通孔２４が設けられた硬質層２１と一体化されている。この際、固定用部１１は、硬質層２１の通孔２４に脚部３２を通してから折り曲げて形成するとよい。また、脚部３２の下部は、分脚間２７に若干の隙間を設けた２本の分脚２８、２８から形成されており、その際、脚部３２は、その上端から下端まで２本の分脚２８、２８から形成されてもよい。また、その２本の分脚２８、２８の外側それぞれには、外方に突出した凸部３４、３４が形成されており、この際、凸部３４、３４は、２本の分脚２８、２８の一方のみに形成されてもよい。そして、弦楽器３５の挿穴２９の内部には、その挿穴２９を保護するために筒状体１３が形成されており、この筒状体１３の内壁と前記挿穴２９の内壁との段差３０に、前記凸部３４、３４が引っ掛かるようにして前記脚部３２を保持している。なお、図８においては、太弦１７を指板１８に押さえ付けているが、細弦の場合は、前記筒状体１３を長く形成するとよい。
【００３８】
図１と図２と図９において、頭部１が上から見て細弦１６に対し斜めにねじられるような状態で、脚部６、３１が弦楽器３５の挿穴２９に挿入保持され、掛部側辺１９により細弦１６が指板１８に押さえ付けられている。この際、図１に示す、前方斜め下方向に向かい巾が一定で四角張って形成された掛部３の掛部側辺１９と、図２に示す、真下方向に向かい先端に向かって舌状形に先細りして形成された掛部１２の掛部側辺１９は、垂直より脚部６、３１側に傾いた角度で、その脚部６、３１とにより細弦１６を挟み付けながら指板１８に押さえ付けている。また、図９においては、人の手により頭部１を押して脚部６を挿穴２９に深く押し入れることにより、真下方向に向かい巾が一定で四角張って形成された掛部３６の先端が指板１８に押されて、頭部１が後方に傾いて、掛部３６の掛部側辺１９が、垂直より脚部６側に傾いた状態で、その脚部６とにより細弦１６を挟み付けながら指板１８に押さえ付けている。そして、太弦に対応させる際は、図１と図２と図９に示す頭部１をねじらずに弦押さえ具を挿穴２９に装着する。
【００３９】
【発明の効果】
本発明は、上述のとおり構成されているので、次に記載する効果を奏する。
【００４０】
頭部が薄く形成されることにより、弦押さえ具を指板の挿穴に装着しても、演奏の際に運指の邪魔にならない。また、掛部が略下方向に向かって形成され、硬質層が、掛部と平部とに域が及んでなることにより、チョーキングをしても掛部から弦が外れない。また、脚部が弾性材からなることにより、その脚部が挿穴に確実に保持される。その際、弦楽器の挿穴内部に筒状体が形成されることにより、より確実に保持される。また、脚部と弾性層が弾性材からなり一体化されることにより、脚部と頭部との相対角度が可変になるので、頭部により弦を指板に押さえ付けて脚部を挿穴に深く押し入れると、頭部が後方に傾いて、その頭部の後部が下がり、より運指の邪魔にならず、その際、頭部を弦に対して斜めにねじった状態にすると、垂直より脚部側に傾いた状態にある掛部側辺と上下方向に伸びる脚部とにより弦を挟み付けながら下方向に押し下げることができるので、頭部のねじる角度により細弦から太弦まで確実に指板に押さえ付けることができる。また、頭部の後部が、脚部よりも後方に突出してなることにより、その頭部の後部に指先を掛けて、容易に弦押さえ具を挿穴から引き抜くことができ、また、その頭部の後部が指板に接すると、頭部の極端な傾きを防止できるので、より確実に弦を指板に押さえ付けることができる。また、頭部の左右の巾が脚部の径よりも大きくされてなることにより、その頭部の左部、又は右部に指先を掛けて挿穴から引き抜くこともでき、その頭部にデザインを施し易くし、掛部を舌状形に形成することができ、硬質層と弾性層とを接着し易くし、指や弦や指板を傷めない。また、既述したように脚部と頭部との相対角度が可変であることにより、頭部に指先を掛けて弦押さえ具を挿穴から引き抜く際に、頭部が傾いても脚部は真っすぐに抜けるので、例えば脚部と頭部との相対角度が不変である画鋲等と比べ、大変抜き易くなる。
【００４１】
また、断面横Ｕ字状、又は上下回りの周回状に形成された固定用部が頭部に取り付けられることにより、弾性層と硬質層とがより強く固定される。
【００４２】
また、弾性層、又は硬質層と、上記固定用部が一体化されることにより、その固定用部が別体として取り付けられるより、製造が容易になる。その際、固定用部が弾性層と一体化して上下回りの周回状に形成され、硬質層を囲むようにすると、頭部の上下面が弾性材となるので、演奏の際、指先による感触がよく、また、弦や指板をより傷めることがない。
【００４３】
また、硬質層を上側に弾性層を下側にすることにより、その両層を接着するだけで頭部を容易に形成できる。
【００４４】
また、弾性層を上側に硬質層を下側にすることにより、頭部により弦を押さえ付けた際に、脚部と一体化された弾性層が硬質層を押さえ付けるので、その両層が壊離しにくい構成にすることができる。
【００４５】
その際、硬質層に、その硬質層の後方から凹む凹部が設けられ、その凹部内に脚部が通されてなることにより、硬質層を頭部下面に広く形成できるので、頭部下面を、なるべく平坦にすることができ、また、両層の接着面を大きくできる。また、凹部を設けた硬質層を線状材を折り曲げて形成すると硬質層の形成が容易である。
【００４６】
また、硬質層の平部部分に通孔が設けられ、この通孔に脚部が通されて、頭部が弾性層を上側に前記硬質層を下側にすることにより、既述したように、その両層が壊離しにくい構成にすることができ、また、両層の、ずれによる壊離を防げる。
【００４７】
その際、断面横Ｕ字状に形成された固定用部が、硬質層と一体化して形成されることにより、弾性層と硬質層とをより強く固定できる。
【００４８】
また、頭部下面に軟質材が取り付けられることにより、頭部により弦を指板に押さえ付けた際に、弦や指板をより傷めることがない。
【００４９】
また、掛部が、前方斜め下方向に向かって形成、又は先端に向けて舌状形に先細りして形成されることにより、頭部を弦に対して斜めにねじった状態で脚部を挿穴に挿入すると、垂直より脚部側に傾いた角度である掛部側辺と上下方向に伸びる脚部とにより弦を挟み付けながら下方向に押し下げることができるので、頭部のねじる角度により細弦から太弦まで確実に指板に押さえ付けることができる。
【００５０】
また、脚部が直線状の棒状であることにより、指板の挿穴の径を最も小さく形成することができる。
【００５１】
また、脚部が曲折した棒状に形成されることにより、指板の挿穴の径が若干異なっても脚部が挿穴に確実に保持される。
【００５２】
また、脚部の少なくとも下部が、分脚間に若干の隙間を設けた２本の分脚から形成され、その少なくとも一方の分脚の外側に、外方に突出してなる凸部が形成されることにより、弦楽器の挿穴内に筒状体を設けて、その筒状体の内壁と挿穴の内壁との段差に前記凸部を引っ掛けることができるので、前記脚部が挿穴に、より確実に保持される。
【図面の簡単な説明】
【図１】弦楽器の挿穴に装着した状態の弦押さえ具の斜視図である。
【図２】弦楽器の挿穴に装着した状態の弦押さえ具の斜視図である。
【図３】弦押さえ具の斜視図である。
【図４】弦押さえ具の斜視図である。
【図５】弦押さえ具の分解斜視図である。
【図６】弦押さえ具の斜視図である。
【図７】弦押さえ具の側面図である。
【図８】弦楽器の挿穴に装着した状態の弦押さえ具の側面図である。
【図９】弦楽器の挿穴に装着した状態の弦押さえ具の斜視図である。
【符号の説明】
１、３３  頭部
２  平部
３、１２、３６  掛部
４、２０、２１  硬質層
５  弾性層
６、３１、３２  脚部
７  弾性層下面
８、９、１０、１１  固定用部
１３  筒状体
１４  頭部下面
１５  軟質材
１６  細弦
１７  太弦
１８  指板
１９  掛部側辺
２２  凹部
２３  線状材
２４  通孔
２５  頭部下面前方域
２６  取り付け孔
２７  分脚間
２８  分脚
２９  挿穴
３０  段差
３４  凸部
３５  弦楽器
【図１】
0003555024.tif 000002
【図２】
0003555024.tif 000003
【図３】
0003555024.tif 000004
【図４】
0003555024.tif 000005
【図５】
0003555024.tif 000006
【図６】
0003555024.tif 000007
【図７】
0003555024.tif 000008
【図８】
0003555024.tif 000009
【図９】
0003555024.tif 000010